(57)【要約】【課題】ＰＣやデジタルカメラ等の周辺機器に記録装置を接続する事無く、記録装置単体で印刷を行うことを可能にする。【解決手段】記録装置内に不揮発性メモリを設け、受信した画像データをそのまま保存可能にする。更にデータ解析部はデータ受信部と不揮発性メモリのいずれからでもデータ取得が可能な構成とし、プリンタパネル上に設けた専用キーの押下により保存してある画像データを回析し、印刷する。【選択図】        図１
2004155123.tif 000002
【特許請求の範囲】
【請求項１】
送信側の装置から送信されたデータを受信するデータ受信手段と、
データ受信手段により受信したデータ群を解析し、必要に応じて記録ヘッドが印刷するのに都合の良いビットマップデータに変換するデータ解析手段と、
前記ビットマップデータを保存するためのプリントバッファメモリとを具備し、
前記ビットマップデータを印刷する印刷手段を備えた記録装置において、
電源を遮断してもデータの保存が可能な不揮発性メモリと、
送信側の装置から送信されたコマンドの種類によって以後の送信データを不揮発性メモリ上に登録する手段とを有し、
データの取り出し口を前記データ受信手段と前記不揮発性メモリのいずれも選択できるデータ受信切り替え手段と、
前記データ受信切り替え手段によってデータ取り出し口を不揮発性メモリに切り替えた場合には不揮発性メモリ内のデータを前記データ解析手段によってビットマップデータに変換し、印刷する
ことを特徴とする記録装置。
【請求項２】
請求項１に記載の記録装置において更には、
プリンタパネル上に印刷キーを備え、ユーザが印刷キーを押下することによって前記データ受信切り替え手段により、データ取り出し口を不揮発性メモリに切り替え記録装置単体で登録された画像データを印刷することを特徴とする記録装置。
【発明の詳細な説明】
【０００１】
【発明の属する技術分野】
本発明は記録装置及び記録装置の制御方法に関し、特にあらかじめ記録装置内に具備された不揮発性メモリに画像データを登録することが可能であり且つ記録装置単体でユーザが登録した画像データを印刷することが可能であること、を特徴とする記録装置に関する．
【０００２】
【従来の技術】
まず、図４を用いて従来の記録装置とパーソナルコンピュータ及びデジタルカメラ等の周辺機器またはＰＣカードによる印刷の方法について説明する。
【０００３】
従来の記録装置ではユーザが所望の印刷を行うためにはパーソナルコンピュータ（以下ＰＣ）２０１上のアプリケーションを利用して所望の画像データを作成し、それをプリンタドライバを介して記録装置にデータ転送し、印刷を行っていた。また、最近では特定のフォーマットであればデジタルカメラ等の周辺機器２０２からダイレクトに印刷できたり、ＰＣカードスロット２０３を搭載し、挿入されたＰＣカード２０５に保存されている画像データを印刷可能なプリンタも存在する。
【０００４】
しかしながら、ＰＣ接続あるいは周辺機器接続の場合は記録装置が単独で印刷を行うことは無く、ＰＣあるいは周辺機器を起動しデータ転送する必要が生じる。また、ＰＣカードスロット搭載の場合には印刷しようとするＰＣカードを必要とする。
【０００５】
ここで例えばユーザが定期的にあるいは頻繁に印刷を必要とするデータが存在した場合、ユーザはその都度ＰＣを起動し、所定のアプリケーションを起動したり、デジタルカメラの電源を入れデジタルカメラと記録装置を接続してデータ転送を行わなければならない。
【０００６】
また、ＰＣカードスロット搭載機の場合はプリンタ単体で印刷することも可能であるが、画像が保存されているＰＣカードを用意し、所望のデータを印刷するためにいくつかの操作をしなければならない。
【０００７】
【発明が解決しようとする課題】
本発明は上記問題を鑑み，ユーザがあらかじめ定期的あるいは頻繁に印刷する必要があると想定した画像データを、あらかじめ記録装置内に用意された不揮発性メモリにダウンロードして登録し、必要な時にはいつでもＰＣやデジタルカメラ等の周辺機器に記録装置を接続する事無く、記録装置単体で印刷を行うことを可能にする。
【０００８】
【課題を解決するための手段】
このような目的を達成するために請求項１の発明は送信側の装置から送信されたデータを受信するデータ受信手段と、データ受信手段により受信したデータ群を解析し、必要に応じて記録ヘッドが印刷するのに都合の良いビットマップデータに変換するデータ解析手段と、前記ビットマップデータを保存するためのプリントバッファメモリとを具備し、前記ビットマップデータを印刷する印刷手段を備えた記録装置において、電源を遮断してもデータの保存が可能な不揮発性メモリと、送信側の装置から送信されたコマンドの種類によって以後の送信データを不揮発性メモリ上に登録する手段とを有し、データの取り出し口を前記データ受信手段と前記不揮発性メモリのいずれも選択できるデータ受信切り替え手段と、前記データ受信切り替え手段によってデータ取り出し口を不揮発性メモリに切り替えた場合には不揮発性メモリ内のデータを前記データ解析手段によってビットマップデータに変換し、印刷することを特徴とする。
【０００９】
また、請求項２の発明は請求項１に記載の記録装置において更にはプリンタパネル上に印刷キーを備え、ユーザが印刷キーを押下することによって前記データ受信切り替え手段により、データ取り出し口を不揮発性メモリに切り替え記録装置単体で登録された画像データを印刷することを特徴とする。
【００１０】
【発明の実施の形態】
以下、本発明の実施の形態を実施例に基づいて詳細に説明する。
【００１１】
【実施例】
まず、図５を用いて従来のＰＣからのデータ転送による印刷のシーケンスを具体的且つ詳細に説明する。
【００１２】
ユーザは印刷しようとする画像データをＰＣ上のアプリケーションを用いて作成し、一般には記録装置に同梱されているプリンタドライバ１０１を介して記録装置に転送し、印刷する。
【００１３】
記録装置はその表面にプリンタパネル１０８を持ち、電源キーやエラーからの回復を行うためのリカバリキーがある。
【００１４】
プリンタはエラーの無い正常な状態でＰＣからの画像データ（ロウデータ）を受信するとデータ受信部１０２がデータを受信する。データ解析部１０３はデータ受信部１０２が受信したデータを取得することによってＰＣからのロウデータを獲得しそのデータを解析して不図示である印刷ヘッドが処理しやすいビットマップデータに変換し、プリントバッファ１０６と呼ばれるメモリ上に保存する。
【００１５】
保存したデータが印刷ヘッドによって印刷するに十分な量に達するとデータ解析部１０２からプリンタ制御部１０４へ印刷命令が送信され、プリンタ制御部１０４はプリンタエンジン１０５の内部の各制御部にコマンドを送信することによって印刷を行う。以下これらの処理を繰り返し実行することによって１ページないし複数ページの印刷を行うことが出来る。
【００１６】
図１は本発明に基づく代表的な実施例の記録装置の印刷に関わるブロック構成図である。
【００１７】
本発明における記録装置ではユーザが画像データを記録装置内に登録したい場合、プリンタドライバ１０１からその機能を選択するとまずデータ解析部に「以下の画像データを保存せよ」という内容のコマンドが送信され次に画像データが送信される。
【００１８】
データ受信部１０２によって受信され、データ解析部１０３によって「画像データを保存せよ」というコマンドが解析されると以後の受信データ（ロウデータ）は通常の様にデータ解析部１０３によって解析されプリントバッファ上にビットマップデータとして保存するというシーケンスをキャンセルし、データ受信部１０２からそのままのデータ形式（ロウデータ）で不揮発性メモリ１０７上に保存する。これによってユーザは画像データを記録装置内に登録することが出来る。
【００１９】
次にユーザが登録した画像データを印刷する時の様子を図２及び図３を用いて説明する。
【００２０】
本発明の記録装置ではユーザが登録した画像データを記録装置単体で印刷するために図２に示すようにプリンタパネル１０８上に印刷キー１０９を設けている。ユーザが登録したデータを印刷するときはこの印刷キー１０９を押下すると、プリンタ制御部１０４にコマンドが送信されプリンタ制御部１０４はデータ解析部１０３のデータ取得対象を通常のデータ受信部１０２から不揮発性メモリ１０７に切り替える。以後データ解析部１０３は不揮発性メモリ１０７からデータを取得し、図３に示すようにそのデータを解析して不図示である印刷ヘッドが処理しやすいビットマップデータに変換し、プリントバッファ１０６と呼ばれるメモリ上に保存するという通常と同様の処理を行う。
【００２１】
以上、記録装置内にデータを登録するためにプリンタドライバを用いたが、これはプリンタドライバに限定する事無く特定のアプリケーションによって行うことも出来る。
【００２２】
また、本発明の記録装置では１画像の登録が可能な不揮発性メモリ１０７しか具備しておらず従って印刷キー１０９の押下のみで登録画像の印刷を行うがメモリの許す限り複数の画像を登録できる構成にすることも可能である。この場合、ユーザが所望の画像データを選択する手段として、例えば印刷キーとリカバリキーのキーコンビネーションによって選択するという手段が考えられる。
【００２３】
【発明の効果】
以上説明してきたように本発明によればプリンタドライバあるいは特定のアプリケーションを使用することによって記録装置のメモリ上に空きがある限り任意の画像データを記録装置上にダウンロード／登録することが出来、必要に応じてＰＣやデジタルカメラ等の周辺機器に接続する事無く、登録した画像データを印刷することが可能になる。
【図面の簡単な説明】
【図１】実施例記録装置の印刷に関わるブロック構成図である。
【図２】実施例記録装置の印刷に関わるブロック構成図である。
【図３】実施例記録装置の印刷に関わるブロック構成図である。
【図４】従来の記録装置と周辺機器とのシステム構成図である。
【図５】従来の記録装置の印刷に関わるブロック構成図である。
【符号の説明】
１０１  パーソナルコンピュータ（ＰＣ）及びプリンタドライバ
１０２  データ受信部
１０３  データ解析部
１０４  プリンタ制御部
１０５  プリンタエンジン
１０６  プリントバッファ
１０７  不揮発性メモリ
１０８  操作パネル
１０９  印刷キー
２０１  パーソナルコンピュータ
２０２  デジタルカメラ
２０３  記録装置
２０４  ＰＣカードスロット
２０５  ＰＣカード
２０６  接続ケーブル
【図１】
2004155123.tif 000003
【図２】
2004155123.tif 000004
【図３】
2004155123.tif 000005
【図４】
2004155123.tif 000006
【図５】
2004155123.tif 000007